(57)【要約】【課題】  電磁駆動体が響板に当接されたり離間されたりして、電子発音ができるとともに、アコースティック発音時の響板から放音される音質が劣化されない。【解決手段】  電子発音時には、電磁駆動ユニット（電磁駆動体）２１及び当接体８は付勢板バネ（付勢体）５によって響板１に付勢され、電磁駆動ユニット２１によって響板１が楽音信号に基づいて振動・発音される。アコースティック発音時には、着脱レバー（離間体）３５によって連結ワイヤー（離間体）２が引かれ、電磁駆動ユニット２１及び当接体８が響板１から離間され、響板１の音が当接体８に伝わらず響音１の音が劣化しない。【選択図】図２
2007328186.tif 000002
【特許請求の範囲】
【請求項１】
振動されて音を放射する楽器の響板と、
複数種類の楽音からなる楽音信号を機械的変化に変換して、上記楽器の響板を駆動させて音を放射させる電磁駆動体と、
この電磁駆動体の駆動部分に接合され、上記響板に当接可能であるか、または上記響板に接合され、上記電磁駆動体の駆動部分に当接可能な、当該響板よりたわみが多く、当該響板より柔らかい当接部材と、
上記電磁駆動体を上記響板に対して付勢する付勢体と、
この付勢体の付勢に抗して、上記電磁駆動体を移動させ、上記響板に当接していた上記当接部材を当該響板から離間させるか、または上記電磁駆動体の駆動部分に当接していた上記当接部材を当該駆動部分から離間させ、さらにこの離間状態を保持し、その上この保持状態を解除して上記当接を許容する離間体とを備えたことを特徴とする楽音装置。
【請求項２】
上記当接部材の大きさは電磁駆動体の駆動部分の大きさより小さいことを特徴とする請求項１記載の楽音装置。
【請求項３】
上記響板には音を放射する放音体が当該響板から離間しないように接合され、
上記複数種類の楽音からなる楽音信号のうち、低音成分が上記電磁駆動体に送られ、当該楽音信号のうち、高音部分が上記放音体に送られることを特徴とする請求項１または２記載の楽音装置。
【請求項４】
上記電磁駆動体の駆動部分の表面と、上記響板の表面とはほぼ平行であり、上記当接部材の厚さはほぼ均一であり、
上記電磁駆動体の駆動部分または／及び上記響板は上記響板よりたわみが小さく、
上記電磁駆動体の駆動部分自身は音を放射しないことを特徴とする請求項１、２または３記載の楽音装置。
【請求項５】
上記響板は、ほぼ水平方向に延びており、複数の響板がほぼ垂直方向に並んで配置されていることを特徴とする請求項１、２、３または４記載の楽音装置。
【請求項６】
上記電磁駆動体および当接部材を響板から離間または上記電磁駆動体を当接部材及び響板から離間させるときには、上記楽音信号の上記放音体への送り込みを禁止する、上記電磁駆動体および当接部材を響板に当接または上記電磁駆動体を当接部材及び響板に当接させるときには、上記楽音信号の上記放音体への送り込みを許容する切換手段をさらに備えていることを特徴とする請求項３、４または５記載の楽音装置。
【請求項７】
振動されて音を放射する楽器の響板と、複数種類の楽音からなる楽音信号を機械的変化に変換して、楽器の響板を駆動させて音を放射させる電磁駆動体と、を用いて、
上記響板より硬度が低く、当該響板より柔らかい当接部材を、上記電磁駆動体の駆動部分に接合させて上記響板に当接可能とさせるか、または上記響板に接合させて上記電磁駆動体の駆動部分に当接可能とさせ、  上記電磁駆動体を上記響板に対して付勢する付勢体を取り付け、  この付勢体の付勢に抗して、上記電磁駆動体を移動させ、上記響板に当接していた上記当接部材を当該響板から離間させるか、または上記電磁駆動体の駆動部分に当接していた上記当接部材を当該駆動部分から離間させ、さらにこの離間状態を保持し、その上この保持状態を解除して上記当接を許容する離間体を取り付けることを特徴とする楽音装置の生産方法。
【発明の詳細な説明】
【技術分野】
【０００１】
本件発明は、楽音装置または楽音装置の生産方法に関し、特に、楽器の響板を振動させて、この響板から楽音を発音・放音させるものに関し、楽器の響板を振動させる電磁駆動体の取り付けに関する。
【背景技術】
【０００２】
従来、このような響板（振動板）を振動させるものでは、ボルト、または木ねじなどでピアノの響板に電磁駆動体を固定し、この電磁駆動体に楽音信号を送り込んで、電磁駆動体ではなく、響板を振動させて、この響板から楽音を発音・放音させている。このような響板はフレームなどの取付け部材に取り付けられていた。
【０００３】
【特許文献１】実開昭５５−１１２９８５号公報
【特許文献２】特開平８−１４６９４９号公報
【特許文献３】特開平８−１１１８９６号公報
【特許文献４】特開平４−１５６７９９報
【特許文献５】特開昭５３−６９６２４号公報
【特許文献６】特開平４−５６９９６号公報
【特許文献７】特開平５−８０７４８号公報
【特許文献８】特開平５−７３０３９報
【発明の開示】
【発明が解決しようとする課題】
【０００４】
しかしながら、このような響板（振動板）を電磁駆動体の駆動部分で駆動してみると、電磁駆動体が響板にぶつかって、響板に傷をつけてしまうことがあった。また、このような電磁駆動体を響板に取り付ける際にも、ボルトや木ねじが響板を傷つけてしまうことがあった。
【課題を解決するための手段】
【０００５】
上記目的を達成するために、本件発明は、電磁駆動体の駆動部分に接合され、響板に当接可能であるか、または響板に接合され、上記電磁駆動体の駆動部分に当接可能な、当該響板より硬度が低く、当該響板よりたわみが大きく、当該響板より柔らかい当接部材を備えた。また、本件発明は、上記に加えて、電磁駆動体を上記響板に対して付勢する付勢体を備えた。
【０００６】
さらに、本件発明は、上記に加えて、この付勢体の付勢に抗して、上記電磁駆動体を移動させ、上記響板に当接していた上記当接部材を当該響板から離間させるか、または上記電磁駆動体の駆動部分に当接していた上記当接部材を当該駆動部分から離間させ、さらにこの離間状態を保持し、その上この保持状態を解除して上記当接を許容する離間体とを備えた。
【発明の効果】
【０００７】
これにより、響板には響板より硬度が低く、当該響板より柔らかい当接部材が当接し、電磁駆動体が直接響板に当接しないので、電磁駆動体が響板にぶつかって、響板に傷をつけてしまうことがなくなる。そして、響板と電磁駆動体との間に、当該響板より硬度（硬さ）が低く柔らかい接合部材が介在されるので、響板と電磁駆動体とがぶつかりあって「ビリビリ」とか「ガリガリ」といったような共振による異常振動／異常音が発生してしまうことがなくなり、響板から発せられる楽音がクリアになり、響板から放音される音質が劣化しなくなる。
【０００８】
多大な解析の結果、以下のことが判明した。電磁駆動体は周囲の空気を振動させない「無音振動」を起こし、響板は周囲の空気を振動させる「有音振動」を起こす。無音振動物体が有音振動物体に比べて、材質が硬く形状が小さく重量が重ければ、両者を密着接合させても両者の間に共振／共鳴は生じない。ところが、無音振動の電磁駆動体は有音振動の響板に比べて、形状は小さいが、材質はともに硬く重量もともに重い。そうすると、両者の間に共振／共鳴が生じてしまう。両者の間に、両者より柔らかくたわみが大きい当接部材を介在させれば、このような共鳴／共振は生じなくなった。
【０００９】
周囲の空気に振動エネルギーを与える有音振動に有音振動が共振／共鳴する場合には、両有音振動に空気の振動がからみあって、間に当接部材を介在させても共鳴／共振が無くならない。これに対して、一方が無音振動であれば、両振動が振動する空気を介して共鳴／共振が起きず、当接部材によって両者の共鳴／共振が十分に無くなる。
【００１０】
「音を放射する」硬い響板と、「音を放射しない」硬い電磁駆動体の駆動部分との間に、柔らかい当接部材が介在されているので、響板から放射される「音」に対して、電磁駆動体の駆動部分の「無音振動」が悪影響を与えてしまい、響板からの音が変質されてしまうことがなくなる。
【００１１】
また、響板と電磁駆動体との間には響板より硬度が低く柔らかい当接部材が介在され、しかも電磁駆動体が響板に付勢されて押し付けられるので、ボルトや木ねじなどで電磁駆動体を響板に固定しなくて済み、響板を傷つけて響板の音響特性を不用意に変えてしまうことがなくなり、響板から放音される音質が劣化しなくなる。
【００１２】
さらに、離間体によって電磁駆動体を響板に当接させたり離間させたりできるので、複数種類の楽音からなる楽音信号を響板から楽音として放射させたり、これを行なわないようにしたりできる。この場合、響板から電磁駆動体を離間できるので、楽器を通常のアコースティックな状態で使用して、響板を振動させて放音させても、電磁駆動体までが振動して響板からの音が異質なものになってしまうことがなく、響板から放音される音質が劣化しない。
【００１３】
また、電磁駆動体が響板に向かって付勢されれば、電磁駆動体の駆動部分の振動が響板に抜けなく伝達され、駆動部分の振動に響板が円滑に追随し、響板の音質が悪くなることがない。これが、逆の付勢であると、電磁駆動体の駆動部分と響板と当接体との間に瞬間的に隙間ができて、駆動部分の振動に響板が円滑に追随できず、響板の音質が劣化してしまう。
【００１４】
さらに、この柔らかい当接部材が響板に当接したり離間されたりするので、楽器を通常演奏するアコースティック発音時には、電磁駆動体の駆動部分（場合によって当接部材も）を響板から離間できて、響板の音振動が電磁駆動体の駆動部分に伝わって、響板からの音が変質してしまうことがない。
【発明を実施するための最良の形態】
【００１５】
（１）響板１
響板１は、木製の方形板状であり、電子ピアノ、電子オルガン、消音ピアノなどの、電子楽器またはアコースティック楽器またはこれらの結合楽器といった、実際の楽器の響板である。この響板１は、振動されて音を放射する。この響板１の材質は、乾燥されたまたは水分を含んだ木材または樹脂が含浸された、含浸されていない木材、合板、集成材、ガラスまたは硬質樹脂（アクリル）などであり、たわみが少なく、たわみ度が小さく、剛度が大きく、剛体に近い。
【００１６】
この響板１は、通常のアコースティックなピアノ・オルガンなどの鍵盤楽器、消音ピアノ、電子ピアノ、電子オルガンなどの電子的な鍵盤楽器に使われる木材と同じものが用いられる。なお、チェロ、バイオリンなどの弦楽器の前板、裏板、側板、胴、指板など、木琴・太鼓などの打楽器の発音体、膜、胴などの木製部分などと同じ材質でもよい。
【００１７】
上記響板１の材質は、アルミニウム、ステンレス、鉄、チタン、マグネシウム、真鍮、プラチナまたはこれらの合金、冷間圧延鋼板などの鋼板、ガラス、硬質樹脂（アクリル）などでもよい。なお、フルート、オーボエなどの管楽器の管、本体など、シンバル、トライアングルなどの打楽器の発音体、胴などの金属製部分などと同じ材質でもよい。
【００１８】
ところで、響板１は平坦で、表面は平面になっている。したがって、これら響板１から発音・放音される音は平面波となり、球面波の場合に比べて、耳の位置によって左右の耳に音圧の差が生じることがないし、広い範囲にわたって音像位置が一定位置で形成されることができ、響板１に対する耳の位置がかなりずれても、左右の耳に音圧の差を感じないし、音像がずれない。
【００１９】
このような響板１は、複数に分離され、それぞれがほぼ水平方向／ほぼ横向きに延びるようにそろって配置され、それぞれから高音、中音、低音が放射されれば、高音、中音、低音がほぼ垂直方向／ほぼ縦向きに並んで配置され、しかもこれら各音が平面波なので、各高音、中音、低音につき、耳の位置が左右にずれても上下にずれても、左右の耳に音圧の差を感じにくいし、耳の位置によって  音像位置がずれることがなく、聴覚上違和感が生じない。
【００２０】
このような響板１は、水平方向の左右両端が楽器のフレーム、骨組など楽器本体に固定されており、両端が節となり中央部分が腹となって振動し、周囲の空気を振動させて発音する。なお、響板１…がほぼ垂直方向／ほぼ縦向きに延びるように横に並んで配置されてもよいが、そうすると、高音、中音、低音の各音域の左右の耳への音圧に差が生じるし、各音域の音像位置も耳の位置によってずれることとなり、聴覚上違和感が生じる。
【００２１】
（２）楽器の全体構造
図１は楽器の全体構造を示す。この楽器はアコースティックなアップライトピアノ３１の例である。上記響板１は、このアップライトピアノ３１の背面側に取り付けられている。アップライトピアノ３１の底板３２の左側の上面には電磁駆動ユニット（電磁駆動体）２１が取り付けられ、この響板１の内面（裏面）の下左側（図１で左側）に対向して接合され当接されている。
【００２２】
また、上記響板１の内面（裏面）の中央には、音を放射するツィータ（スピーカー）３３が接合され取付けされている。アップライトピアノ３１の鍵盤の下の棚３４の下面中央には着脱レバー（離間体）３５が取り付けられ、この着脱レバー３５と上記電磁駆動ユニット２１とには連結ワイヤー（離間体）２が連結されている。
【００２３】
この着脱レバー（離間体）３５を引くと、連結ワイヤー２が引かれ、電磁駆動ユニット２１の振動板（駆動部分）２３が響板１から離間される。着脱レバー（離間体）３５を解放すると、連結ワイヤー２が復帰され、電磁駆動ユニット２１の振動板（駆動部分）２３が響板１に当接して接合される。
【００２４】
上記棚３４の下面の右側には、音源ユニット３６が取り付けられている。上記底板３２の上面の右側には、アンプボックス３７が取り付けられている。音源ユニット３６からの複数種類の楽音からなる楽音信号のうち、フィルタ処理によって低音成分（中音成分も含む）が抽出されて上記電磁駆動ユニット２１に送られ、当該楽音信号のうち、フィル処理によって高音成分が抽出されて上記ツィータ３３に送られ楽音が発音／放射される。
【００２５】
この高音部分は、複数種類の楽音からなる楽音信号のうち、２ｋＨｚ付近以上の周波数の楽音がフィルタによって抽出される。これにより、高音部分は、電磁駆動ユニット２１を通じて響板１から放射せず、ツィータ３３から直接放射されるので、高音の減衰が少なくなる。
【００２６】
（３）電磁駆動ユニット（電磁駆動体）２１の取付け構造
図２及び図３は、上記電磁駆動ユニット（電磁駆動体）２１の取付け構造を示す。上記響板１はアップライトピアノ３１の背面の支柱（骨組）３に固定されている。上記アップライトピアノ３１の底板３２の上面左側には、断面が「Ｌ」字状の板状の取付け具４がボルトまたは木ねじなどで固定されている。
【００２７】
このボルトまたは木ねじを緩めて、この取付け具４は前後または左右（水平方向）に位置調整可能となっている。これにより、当接体８が経年変化によって厚さが変化したり、縮んだり、膨張したりしても、響板１への最適な当接位置に調節できる。
【００２８】
この取付け具４の縦の面の奥側つまり響板１側には、付勢板バネ（付勢体）５が取り付けられている。この付勢板バネ５は、帯状の板バネがすり鉢型または富士山型に成型され、その両端がボルトまたは木ねじなどで取付け具４に固定されている。
【００２９】
この付勢板バネ５の頂部には、上記電磁駆動ユニット２１がボルト６などで取付けられている。この付勢板バネ５によって、電磁駆動ユニット２１が上記響板１に向かって／対して付勢される。
【００３０】
このボルト６は、「コ」字状の連結具７及び上記付勢板バネ５の頂部を貫通して電磁駆動ユニット２１に螺合螺着される。電磁駆動ユニット２１の外形は円柱状の本体ケース２２とこの本体ケース２２の下面に設けられている円形の平坦な振動板２３とからなっている。
【００３１】
この振動板２３の中央には、円板状の当接体８が接合され両面テープまたは接着剤などで接着されている。この両面テープまたは接着剤は、円板状の当接体８の円形の奥面の周縁に沿って取り付けられている。この当接体８の直径は例えば８０ｍｍ、厚さは例えば１０ｍｍほどである。
【００３２】
このように当接体８の周縁だけで振動板２３に接着されているから、当接体８が響板１に当接したときの響板１への当接面と、電磁駆動ユニット２１の振動板２３への当接面とにおける、音響伝達／振動伝達の特性を同じまたは近似したものにでき、響板１から放音される音質が劣化しなくなり、両面テープまたは接着剤の使用量を少なくできる。
【００３３】
上記当接体８の直径／大きさは、電磁駆動ユニット２１の振動板２３の直径／大きさより小さい。これにより、当接体８が振動板２３の周縁からはみ出さない。もしはみ出ると、このはみ出し部分の音響伝達／振動伝達の特性と、はみ出ていない部分の音響伝達／振動伝達の特性とが異なってしまい、当接体８全体の音響伝達／振動伝達の特性が均一とならず、音の反射が起きたり、この反射で少々の共振が起きたりしてしまう。振動板２３より小さい当接体８ならば、このようなことは起きず、響板１から放音される音質が劣化しなくなる。
【００３４】
（４）楽音装置の生産方法
以上のような楽音装置の生産方法または電磁駆動ユニット２１付きの楽器の生産方法は以下の通りである。
（ａ）当接体８を電磁駆動ユニット２１の振動板２３に接着／接合させる。
（ｂ）取付け具４に、電磁駆動ユニット２１、付勢板バネ５、連結具７を、ボルト６で固定するとともに、連結ワイヤー２の一端を取付け具４に挿通させて連結具７に固定する。
【００３５】
（ｃ）当接体８が響板１に当接／離間が可能なように（ｂ）の取付け具４を楽器に固定し、着脱レバー３５を楽器に固定する。
（ｄ）ツィータ３３、音源ユニット３６、アンプボックス３７を楽器に取り付ける。
このうち、（ａ）の工程は、（ｂ）の工程の後に行なってもよい。また（ｄ）の工程は、（ｃ）、（ｂ）または（ａ）の工程の前に行なってもよい。
【００３６】
上記電磁駆動ユニット２１、連結ワイヤー２、取付け具４、付勢板バネ５、連結具７、当接体８、ツィータ３３、着脱レバー３５、音源ユニット３６、アンプボックス３７の全部または一部の取付けは、いったん生産された楽器に対して、後から付加する形で取り付けられるが、楽器の生産と同時に取付けられてもよい。
【００３７】
（４）着脱レバー（離間体）３５及び連結ワイヤー（離間体）２
図４は、上記着脱レバー（離間体）３５を示す。この着脱レバー３５は、回動部１１と握り部１２とからなっている。回転部１１は上記アップライトピアノ３１の棚３４の下面に回動可能に取り付けられており、握り部１２は、この回動部１１に一体となって、この回動部１１から突出している。
【００３８】
上記回動部１１の周面に、上記連結ワイヤー２の一端が固定されている。この回動部１１の横の棚３４の下面には、保持突起１３が設けられており、この保持突起１３に握り部１２が係合可能となっている。連結ワイヤー２の他端は、上記「Ｌ」字状の取付け具４を貫通し、上記「コ」字状の連結具７の２つの先端の間に連結固定されている。
【００３９】
図２に示すように、上記着脱レバー３５の握り部１２を、付勢板バネ５の付勢に抗して回すと、連結ワイヤー２が引かれ、電磁駆動ユニット２１及び振動板２３が移動され、響板１に当接していた当接体８が響板１から離間される。握り部１２を、保持突起１３に係合させると、この離間状態が保持される。
【００４０】
図３に示すように、握り部１２を、保持突起１３から外して、上記保持状態を解除すると、付勢板バネ５の付勢によって電磁駆動ユニット２１及び振動板２３が復動され、付勢板バネ５の付勢によって当接体８の響板１への接合及び当接が許容される。
【００４１】
このように、響板１と電磁駆動ユニット２１との間には響板１より硬度が低く柔らかい当接体８が介在され、しかも電磁駆動ユニット２１が響板１に付勢されて押し付けられるので、ボルトや木ねじなどで電磁駆動ユニット２１を響板１に固定しなくて済み、響板１を傷つけて響板１の音響特性を不用意に変えてしまうことがなくなる。
【００４２】
さらに、着脱レバー３５及び連結ワイヤー２によって電磁駆動ユニット２１または／及び当接体８を響板１に当接させたり離間させたりできるので、複数種類の楽音からなる楽音信号を響板１から楽音として放射させたり、これを行なわないようにしたりできる。
【００４３】
この場合、電磁駆動ユニット２１または／及び当接体８を響板１から離間できるので、楽器を通常のアコースティックな状態で使用して、響板１を振動させて放音させても、電磁駆動ユニット２１、振動板２３または／及び当接体８までが振動して響板１からの音が異質なものになってしまうことがない。
【００４４】
上記着脱レバー３５の握り部１２を、保持突起１３から解放した、図４の位置には、電源スイッチ３８が設けられている。この電源スイッチ３８のオン／オフによって、上記音源ユニット３６、アンプボックス３７の電源が投入されたり、切られたりする。
【００４５】
したがって、電磁駆動ユニット２１及び振動板２３が当接体８とともに響板１へ当接すると、これに連動して音源ユニット３６、アンプボックス３７の電源が投入され、上記楽音信号の発生、増幅及び響板１からの放音が可能となる。
【００４６】
また、電磁駆動ユニット２１及び振動板２３が当接体８とともに響板１から離間すると、これに連動して音源ユニット３６、アンプボックス３７の電源が切られ、上記楽音信号の発生、増幅及び響板１からの放音が禁止される。
【００４７】
したがって、この楽器のアコースティック演奏時には、音源ユニット３６、アンプボックス３７などの電子発音手段／楽音信号発生手段が作動しなくなり、不用意な発音がなされなくなる。なお、アンプボックス３７から電磁駆動ユニット２１及びツィータ３３への接続線にオン／オフスイッチが介在され、このオン／オフスイッチが上記電源スイッチ３８によって切り換えられてもよい。
【００４８】
（５）当接体８
上記当接体８の材質は、発泡ウレタン製、ウレタンエラストマー製、スチレン系ポリマー、エポキシ、塩化ビニール、酢酸ビニール、合成ゴムなどの可撓性のある軟質樹脂製、布、紙、パルプなどで、密度は６９０ｋｇ／ｍ3、２５％圧縮強さは１．０６Ｍｐａ、引張り強度は２．６７Ｍｐａ、伸びは１５０％、引裂強度は８．６０Ｎ／ｍｍ、圧縮永久歪みは７．６％である。
【００４９】
この当接体８は、上記響板１または振動板２３（電磁駆動ユニット２１）より、密度は小さく、２５％圧縮強さは小さく、引張り強度は小さく、伸びは大きく、引裂強度は小さく、圧縮永久歪みは大きい。
【００５０】
上記当接体８は、上記響板１または振動板２３より硬度（硬さ）が低く、当該響板１または振動板２３より柔らかい。振動板２３は、上記響板１より硬度（硬さ）が高く、当該響板１より硬いか、または上記響板１とほぼ同じ硬度で、当該響板１とほぼ同じ硬さである。
【００５１】
このような硬度（硬さ）は、一定荷重で圧子を押し込み、その深さ、荷重をくぼみの面積で割った値で表わされる。場合によって、この硬度（硬さ）は、上記密度、２５％圧縮強さ、引張り強度、伸び、引裂強度、圧縮永久歪みのいずれか、またはこれらの一部または全部の加算値／乗算値などで表わされる。
【００５２】
このような当接体８の硬度（硬さ）は、上記響板１または振動板２３の硬度（硬さ）の２／３乃至１／１０、望ましくは１／２乃至１／５、より望ましくは１／３乃至１／４とされる。これにより、響板１と当接体８とがぶつかりあって共振による異常振動／異常音が発生してしまうことがなくなり、響板１から発せられる楽音がクリアになり、響板１から放音される音質が劣化しなくなる。
【００５３】
この当接体８の硬度（硬さ）の値と、上記響板１または振動板２３の硬度（硬さ）の値とが、近いと、振動板２３から響板１への振動／音の伝達損失が大きくなるが、響板１と振動板２３との共振による異常振動／異常音が少なくなり、響板１から放音される音質が劣化しなくなる。これらの値の差が大きくなると、振動板２３から響板１への振動／音の伝達損失が小さくなるが、響板１と振動板２３との共振による異常振動／異常音が増えて、響板１から放音される音質が劣化する。
【００５４】
上記響板１の固有振動数と振動板２３の固有振動数とは、同形同大において、ほぼ同じまたは近似している。また、上記当接体８の固有振動数と上記響板１または振動板２３の固有振動数とは、同形同大において、数倍または大きく異なっている。
【００５５】
また、上記当接体８の固有振動数は、選択する材質よっては、無いこともある。このような各部材の固有振動数は、各部材に力が働かないときでも減衰がない振動周波数である。この固有振動数そのもの、またはこの固有振動数付近で共振が起きる。この固有振動数は、上記部材の材質によって変化するし、部材の大きさ、幅、厚さ、形状によっても変化するので、固有振動数を対比するときは、同形同大で対比する必要がある。
【００５６】
（６）電磁駆動ユニット２１の構造
電磁駆動ユニット２１の外形は円柱状の本体ケース２２とこの本体ケース２２の下面に設けられている円形の平坦な振動板２３とからなっている。この振動板２３及び本体ケース２２は金属または硬質樹脂からなり、たわみが少なく、たわみ度が小さく、剛度が大きく、剛体に近い。電磁駆動ユニット２１の中にはコイルと磁石とが内蔵され、上記本体ケース２２及び振動板２３の一方にコイルが連結され他方に磁石が連結される。
【００５７】
上記コイルに複数種類の楽音からなる楽音信号が流れると、コイルに生じる磁界と磁石の磁界との相互作用によって、コイルまたは磁石が振動／駆動／変位し、本体ケース２２に対して振動板２３が振動／駆動／変位する。本体ケース２２つまりコイルと磁石のうち一方を、上記響板１より重い上記底板３２（取付け具４）など楽器本体側に固定し、振動板２３つまり他方を上記響板１に直接または上記当接体８を介して当接（接合／取付け／連結／接着／固定を含む）させる。
【００５８】
これにより、楽器本体に対して振動板２３及び響板１の方を電磁駆動させて振動させることができる。電磁駆動ユニット２１は、スピーカーとは異なり、それ自体は発音／放音せず、接合された他の物体を電磁駆動させて振動させ発音／放音させるものである。このような電磁駆動ユニット１１…は、特開平８−１４６９４９号公報、特開平８−１１１８９６号公報などに開示されている。
【００５９】
上記振動板２３と響板１と当接体８の両面は、共にほぼ平坦で互いにほぼ平行になっており、当接体８の厚さもほぼ均一である。ほぼ平行であれば、平面のほか、球面、円筒面、その他の湾曲した面、多面体の面であってもよい。このように平行／厚さ均一であれば、振動板２３から響板１への音響伝達／振動伝達の特性が均一となって、響板１から放音される音質が劣化しなくなる。なお、場合によって、振動板２３と響板１とは平行でなくてもよい。
【００６０】
上記電磁駆動体ユニット２１の振動板２３はスピーカーのコーンや平板振動板などと異なり、重量があって駆動させるのにパワーのある信号が供給され、それ自体は音を出すものではなく、響板１といった他の物体に振動を伝えて音を出させるものである。
【００６１】
上記電磁駆動体ユニット２１の振動板２３自身は音を放射しないので、音の放射にあたっては、電磁駆動体ユニット２１の振動板２３からの発生音も考慮する必要がなくなり、響板１からの発生音だけを考慮すればよく、楽音装置全体からの発生音の分析・解析が容易になる。なお、電磁駆動体ユニット２１の振動板２３自身からも音が放射されてもよい。
【００６２】
ここで、音を放射するには、振動する物体の周囲の空気を振動させなくてならない。したがって、響板１は周囲の空気を振動（有音振動）させるが、電磁駆動体ユニット２１の振動板２３は周囲の空気を振動させず（無音振動）、当接体８を介して、響板１を振動（有音振動）させるのみである。
【００６３】
周囲の空気に対して振動のエネルギーを伝えることができない材質／形状／重量のとき無音振動となり、周囲の空気に対して振動のエネルギーを伝えることができる材質／形状／重量のとき有音振動となる。したがって、同じ振動を与えても、有音振動には空気抵抗がある分だけ、無音振動の振動形態とは差異が生じる。
【００６４】
多大な解析の結果、無音振動物体が有音振動物体に比べて、材質が硬く形状が小さく重量が重ければ、両者を密着接合させても両者の間に共振／共鳴は生じない。ところが、無音振動の電磁駆動体ユニット２１の振動板２３は有音振動の響板１に比べて、形状は小さいが、材質はともに硬く重量もともに重い。そうすると、両者の間に共振／共鳴が生じてしまう。両者の間に、両者より柔らかくたわみが大きい当接体８を介在させれば、このような共鳴／共振は生じなくなった。
【００６５】
当接体８の形状は両者より小さいが、大きくてもよいし、当接体８の重量は両者より小さいが、大きくてもよい。なお、周囲の空気に振動エネルギーを与える有音振動に有音振動が共振／共鳴する場合には、両有音振動に空気の振動がからみあって、間に当接体８を介在させても共鳴／共振が無くならない。これに対して、一方が無音振動であれば、両振動が振動する空気を介して共鳴／共振が起きず、当接体８によって両者の共鳴／共振が十分に無くなる。
【００６６】
（７）他の実施の形態
本件発明は上記実施例に限定されず、本件発明の趣旨を逸脱しない範囲で種々変更可能である。例えば、上記当接体８は、電磁駆動ユニット２１の振動板２３に接着（接合／取付け／連結／固定を含む）される代わりに、響板１の方に接着されてもよい。この場合、当接体８に対して、電磁駆動ユニット２１の振動板２３が当接したり離間したりする。
【００６７】
上記当接体８は複数に分割されてもよく、この複数の当接体８の厚さ・長さ・幅・大きさが異なっていてもよいし、当接体８の厚さは均一でなくてもよく、形状は方形、多角形、環状円形、環状多角形など円形以外でもよい。上記当接体８は省略されてもよいし、電磁駆動ユニット２１の振動板２３より大きくてはみ出ていてもよいし、振動板２３と同じ大きさでもよい。
【００６８】
上記ツィータ３３は、スピーカーでもよいし、小型の電磁駆動ユニットでも良いし、省略されてもよい。付勢板バネ（付勢体）５は、電磁駆動ユニット２１を響板１へ押し付けているが、電磁駆動ユニット２１を響板１へ引っ張ってもよい。この場合、電磁駆動ユニット２１を引っ張る１つまたは複数の弾性体が支柱３と電磁駆動ユニット２１との間に架け渡される。
【００６９】
上記連結ワイヤー２は棒のようなもので、電磁駆動ユニット２１を響板１に向かって押し付けるものでもよい。この場合、付勢板バネ５は、電磁駆動ユニット２１を、響板１に向かってではなく取付け具４に向かって付勢する。そして、付勢板バネ５は、電磁駆動ユニット２１と取付け具４との間において両者を引き合うように付勢する。
【００７０】
本件発明の装置を取り付ける楽器は、アップライトピアノのほか、グランドピアノでもよい。この場合、響板１はほぼ垂直方向／ほぼ縦向きではなくほぼ水平方向／ほぼ横向きに配置されるので、電磁駆動ユニット２１及び取付け具４もほぼ横向き／ほぼ水平方向向きにされて取り付けられる。
【００７１】
付勢板バネ（付勢体）５による電磁駆動ユニット２１の付勢は、取付け具４に向かってより、響板１に向かっての方がよい。なぜなら、電磁駆動ユニット２１が響板１に押し付けられれば、電磁駆動ユニット２１の振動が響板１に抜けなく伝達され、響板１の音質が悪くなることがない。
【００７２】
逆に、電磁駆動ユニット２１が取付け具４に押し付けられれば、電磁駆動ユニット２１の振動板２３の当接体８と響板１とが瞬間的に離間してしまうことが生じ、電磁駆動ユニット２１の振動が響板１に伝わるときに抜けが生じてしまい、響板１の音質が悪くなることがある。
【００７３】
上記響板１が複数の場合には、複数の電磁駆動ユニット２１、連結ワイヤー２、取付け具４、付勢板バネ５、連結具７、当接体８、着脱レバー３５または／及びツィータ３３が複数の響板１それぞれに設けられる。この場合、複数の連結ワイヤー２が１つの着脱レバー３５に連結されても良い。
【００７４】
電磁駆動ユニット２１及び取付け具４の取付け位置は、響板１の端部ではなく、中央に近いところまたは中央でも良いし、ツィータ３３は響板１の中央ではなく、端部に近いところまたは端部に近いところでも良い。電磁駆動ユニット２１及び取付け具４またはツィータ３３は、１つの響板１に複数取り付けられてもよい。この場合、電磁駆動ユニット２１及び取付け具４またはツィータ３３は、響板１の両端部の互いに対称な位置に取り付けられる。
【００７５】
着脱レバー（離間体）３５には、電磁駆動ユニット２１を響板１に着脱させる連結ワイヤー（離間体）２のほか、消音ピアノの消音／発音を切り換えるための切換ワイヤーも連結されても良い。この場合、消音ピアノの発音時（アコーステック発音時）には、電磁駆動ユニット２１の振動板２３が響板１から離間され、消音ピアノの消音時（電子発音時）には、電磁駆動ユニット２１の振動板２３が響板１に当接される。
【００７６】
この消音ピアノの消音時（電子発音時）でも、さらに電気的に切り換えられ、音源ユニット３６からの楽音信号が電磁駆動ユニット２１に送られるか、若しくはヘッドフォン（図示せず）または外部スピーカー（図示せず）へ送られる。
【００７７】
上記複数種類の楽音からなる楽音信号は、複数種類の楽器、音色、音高または／及びタッチの楽音の信号からなっており、ポリフォニックに発音される楽音の信号であり、低音、中音、高音の各周波数帯域の楽音が含まれている。このような楽音信号には、楽器の弦自体、管自体、打自体の部分の楽音の信号ほか、響板部分の楽音の信号も含まれるが、弦自体、管自体、打自体の部分の楽音の信号のみでもよいし、響板部分の楽音の信号のみでもよい。
【００７８】
（８）他の発明の効果
[２]上記当接部材の大きさは電磁駆動体の駆動部分の大きさより小さいことを特徴とする請求項１記載の楽音装置。これにより、当接体が電磁駆動体の駆動部分の周縁からはみ出さない。もしはみ出ると、このはみ出し部分の音響伝達／振動伝達の特性と、はみ出ていない部分の音響伝達／振動伝達の特性とが異なってしまい、当接体全体の音響伝達／振動伝達の特性が均一とならず、響板から放音される音質が劣化する。
【００７９】
[３]上記響板には音を放射する放音体／ツィータが当該響板から離間しないように接合され、  上記複数種類の楽音からなる楽音信号のうち、低音成分が上記電磁駆動体に送られ、当該楽音信号のうち、高音部分が上記放音体に送られることを特徴とする請求項１または２記載の楽音装置。これにより、高音は、電磁駆動体を通じて響板から放射せず、放音体／ツィータから直接放射されるので、高音の減衰が少なくなる。
【００８０】
[４]上記電磁駆動体の駆動部分の表面と、上記響板の表面とはほぼ平行であり、上記当接部材の厚さはほぼ均一であり、  上記電磁駆動体の駆動部分または／及び上記響板は上記響板よりたわみが小さく、  上記電磁駆動体の駆動部分自身は音を放射しないことを特徴とする請求項１、２または３記載の楽音装置。
【００８１】
このように平行であれば、電磁駆動体の駆動部分から響板への音響伝達／振動伝達の特性が均一となって、響板から放音される音質が劣化しなくなる。また、電磁駆動体の駆動部分自身は音を放射しないので、音の放射にあたっては、連結部材からの発生音を考慮する必要がなくなるし、電磁駆動体の駆動部分からの発生音も考慮する必要がなくなり、響板からの発生音だけを考慮すればよく、楽音装置全体からの発生音の分析・解析が容易になる。
【００８２】
[５]上記響板は、ほぼ水平方向に延びており、複数の響板がほぼ垂直方向に並んで配置されていることを特徴とする請求項１、２、３または４記載の楽音装置。これにより、各響板からの各音の発生体が縦に並んで配置され、しかもこれら各音が平面波なので、各音ごとにつき、耳の位置が左右にずれても上下にずれても、左右の耳に音圧の差を感じにくいし、耳の位置によって  音像位置がずれることがなく、聴覚上違和感が生じないし、たとえ上記異常振動／異常音が発生しても左右の耳に音圧の差として感じられず、この異常振動／異常音が目立たず、響板から放音される音質が劣化しなくなる。
【００８３】
[６]上記電磁駆動体および当接部材を響板から離間または上記電磁駆動体を当接部材及び響板から離間させるときには、上記楽音信号の上記放音体への送り込みを禁止する、上記電磁駆動体および当接部材を響板に当接または上記電磁駆動体を当接部材及び響板に当接させるときには、上記楽音信号の上記放音体への送り込みを許容する切換手段をさらに備えていることを特徴とする請求項３、４または５記載の楽音装置。
【００８４】
[７]上記電磁駆動体および当接部材を響板から離間または上記電磁駆動体を当接部材及び響板から離間させるときには、上記楽音信号の電磁駆動体への送り込みを禁止する、上記電磁駆動体および当接部材を響板に当接または上記電磁駆動体を当接部材及び響板に当接させるときには、上記楽音信号の電磁駆動体への送り込みを許容する切換手段をさらに備えていることを特徴とする請求項１、２、３、４または５記載の楽音装置。
【００８５】
[８]振動されて音を放射する楽器の響板と、複数種類の楽音からなる楽音信号を機械的変化に変換して、楽器の響板を駆動させて音を放射させる電磁駆動体と、を用いて、  上記響板より硬度が低く、当該響板より柔らかい当接部材を、上記電磁駆動体の駆動部分に接合させて上記響板に当接可能とさせるか、または上記響板に接合させて上記電磁駆動体の駆動部分に当接可能とさせ、  上記電磁駆動体を上記響板に対して付勢する付勢体を取り付け、  この付勢体の付勢に抗して、上記電磁駆動体を移動させ、上記響板に当接していた上記当接部材を当該響板から離間させるか、または上記電磁駆動体の駆動部分に当接していた上記当接部材を当該駆動部分から離間させ、さらにこの離間状態を保持し、その上この保持状態を解除して上記当接を許容する離間体を取り付けることを特徴とする楽音装置の生産方法。
【００８６】
[９]上記当接部材の硬度（硬さ）は、上記響板、電磁駆動体の駆動部分の硬度（硬さ）の２／３乃至１／１０、望ましくは１／２乃至１／５、より望ましくは１／３乃至１／４であることを特徴とする請求項１、２、３、４、５または６記載の楽音装置。これにより、響板と電磁駆動体の駆動部分とがぶつかりあって共振による異常振動／異常音が発生してしまうことがなくなり、響板から発せられる楽音がクリアになり、響板から放音される音質が劣化しなくなる。
【産業上の利用可能性】
【００８７】
電磁駆動体が響板に当接されたり離間されたりして、電子発音ができるとともに、アコースティック発音時の響板から放音される音質が劣化されない。電子発音時には、電磁駆動ユニット（電磁駆動体）２１及び当接体８は付勢板バネ（付勢体）５によって響板１に付勢され、電磁駆動ユニット２１によって響板１が楽音信号に基づいて振動・発音される。アコースティック発音時には、着脱レバー（離間体）３５によって連結ワイヤー（離間体）２が引かれ、電磁駆動ユニット２１及び当接体８が響板１から離間され、響板１の音が当接体８に伝わらず響音１の音が劣化しない。
【図面の簡単な説明】
【００８８】
【図１】アップライトピアノ３１の楽器の全体構造を示す。
【図２】電磁駆動ユニット（電磁駆動体）２１の取付け構造を示し、当接体８が響板１から離間される状態を示す。
【図３】電磁駆動ユニット（電磁駆動体）２１の取付け構造を示し、当接体８が響板１に当接される状態を示す。
【図４】当接体８の響板１への離間／当接を切り換える、着脱レバー（離間体）３５を示す。
【符号の説明】
【００８９】
１…響板、２…連結ワイヤー（離間体）、
３…支柱、４…取付け具、
５…付勢板バネ（付勢体）、６…ボルト、
７…連結具、８…当接体（当接部材）、
１１…回動部、１２…握り部、
１３…保持突起、２１…電磁駆動ユニット（電磁駆動体）、
２２…本体ケース、２３…振動板（駆動部分）、
３１…アップライトピアノ、３２…底板、
３３…ツィータ（スピーカー）（放音体）、３４…棚、
３５…着脱レバー（離間体）、３６…音源ユニット、
３７…アンプボックス、３８…電源スイッチ（切換手段）。
【図１】
2007328186.tif 000003
【図２】
2007328186.tif 000004
【図３】
2007328186.tif 000005
【図４】
2007328186.tif 000006